【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
第１電極および第２電極を有する放電灯に駆動電流を供給する放電灯駆動部と、
前記放電灯駆動部を制御する制御部と、
前記駆動電流の複数の駆動パターンを格納する記憶部と、
を備え、
前記制御部は、機械学習に基づいて、前記複数の駆動パターンのうちいずれか１つの駆動パターンを選択し、選択された前記駆動パターンを実行し、
前記制御部は、所定の条件が満たされた場合、前記機械学習に基づく前記駆動パターンを選択および実行せずに、前記複数の駆動パターンのうち所定の駆動パターンを実行することを特徴とする放電灯駆動装置。
【請求項２】
前記放電灯の電極間電圧を検出する電圧検出部をさらに備え、
前記制御部は、前記所定の条件が満たされない場合に、交流電流が前記放電灯に供給される第１期間と、直流電流が前記放電灯に供給される第２期間と、が交互に繰り返される混合期間が設けられるように前記放電灯駆動部を制御し、
前記所定の条件は、前記電極間電圧が第１所定電圧値よりも小さいことを含み、
前記制御部は、前記電極間電圧が前記第１所定電圧値よりも小さい場合、前記所定の駆動パターンとして低周波期間を含む駆動パターンを実行し、
前記低周波期間においては、前記第１期間において前記放電灯に供給される交流電流の周波数よりも低い周波数を有する交流電流が前記放電灯に供給される、請求項１に記載の放電灯駆動装置。
【請求項３】
前記所定の条件は、前記電極間電圧が前記第１所定電圧値よりも小さく、かつ、前記放電灯に供給される駆動電力が所定電力値よりも大きいことを含み、
前記制御部は、前記電極間電圧が前記第１所定電圧値よりも小さく、かつ、前記駆動電力が前記所定電力値よりも大きい場合、前記所定の駆動パターンとして前記低周波期間と第３期間とを含む駆動パターンを実行し、
前記第３期間は、前記放電灯に直流電流が供給される第１直流期間、および前記第１直流期間において前記放電灯に供給される前記直流電流の極性と反対の極性を有する直流電流が前記放電灯に供給される第２直流期間を交互に含み、
前記第２直流期間の長さは、０．５ｍｓよりも小さく、
前記第３期間における前記第１直流期間の長さの合計は、前記第２期間の長さよりも大きい、請求項２に記載の放電灯駆動装置。
【請求項４】
前記低周波期間は、第１交流期間と第２交流期間とを有し、
前記第１交流期間において供給される交流電流の周波数と前記第２交流期間において供給される交流電流の周波数とは、互いに異なる、請求項２または３に記載の放電灯駆動装置。
【請求項５】
前記所定の条件は、前記放電灯に供給される駆動電力の変化の割合が所定割合以上であることを含む、請求項１に記載の放電灯駆動装置。
【請求項６】
前記制御部は、前記所定の条件が満たされない場合に、
前記放電灯に周波数を有する交流電流が供給される第１期間と、前記放電灯に直流電流が供給される第２期間とが交互に繰り返される混合期間を含む第１駆動パターンが設けられるように前記放電灯駆動部を制御し、
前記制御部は、前記駆動電力の変化の割合が前記所定割合以上である場合に、前記所定の駆動パターンとして前記第１駆動パターンと異なる第２駆動パターンを実行し、
前記第２駆動パターンは、前記混合期間を含み、
前記第２駆動パターンにおける前記第１期間の長さは、前記第１駆動パターンにおける前記第１期間の長さよりも大きく、
前記第２駆動パターンにおける前記第１期間の周波数は、前記第１駆動パターンにおける前記第１期間の周波数よりも高い、請求項５に記載の放電灯駆動装置。
【請求項７】
前記第２駆動パターンにおける前記第２期間の長さは、前記第１駆動パターンにおける前記第２期間の長さよりも小さい、請求項６に記載の放電灯駆動装置。
【請求項８】
前記第１駆動パターンおよび前記第２駆動パターンは、前記放電灯に直流電流が供給される第１直流期間、および前記第１直流期間において前記放電灯に供給される前記直流電流の極性と反対の極性を有する直流電流が前記放電灯に供給される第２直流期間を交互に含む第３期間を含み、
前記第１直流期間の長さは、前記第２直流期間の長さよりも大きく、
前記第２直流期間の長さは、０．５ｍｓよりも小さく、
前記第３期間における前記第１直流期間の長さの合計は、前記第２期間の長さよりも大きく、
前記第２駆動パターンにおける前記第３期間の長さは、前記第１駆動パターンにおける前記第３期間の長さよりも小さい、請求項６または７に記載の放電灯駆動装置。
【請求項９】
前記放電灯の電極間電圧を検出する電圧検出部をさらに備え、
前記制御部は、前記第２駆動パターンの実行時間の長さまたは前記電極間電圧に基づいて、前記第２駆動パターンから前記機械学習に基づく駆動パターンに切り換える、請求項６から８のいずれか一項に記載の放電灯駆動装置。
【請求項１０】
前記制御部は、前記第２駆動パターンの実行を開始した後に前記電極間電圧が所定値以上低下した場合、前記第２駆動パターンから前記機械学習に基づく駆動パターンに切り換える、請求項９に記載の放電灯駆動装置。
【請求項１１】
前記所定の条件は、前記第２駆動パターンの実行入力を受け付ける入力部が前記第２駆動パターンの実行入力を受け付けたことを含み、
前記制御部は、前記入力部が前記第２駆動パターンの実行入力を受け付けた場合に、実行中の前記駆動パターンから前記第２駆動パターンに切り換える、請求項６から１０のいずれか一項に記載の放電灯駆動装置。
【請求項１２】
前記所定の条件は、前記駆動パターンの切り換え入力を受け付ける入力部が前記駆動パターンの切り換え入力を受け付けたことを含み、
前記制御部は、前記入力部が前記駆動パターンの切り換え入力を受け付けた場合に、実行中の前記駆動パターンから他の駆動パターンに切り換える、請求項１から１１のいずれか一項に記載の放電灯駆動装置。
【請求項１３】
前記制御部は、前記入力部が受け付けた入力に基づく前記駆動パターンの切り換えから一定期間、切り換え直前に実行されていた駆動パターンを実行しない、請求項１１または１２に記載の放電灯駆動装置。
【請求項１４】
前記所定の条件は、前記放電灯の１回の点灯時間が第１所定時間以下となる短点灯が所定回数連続して実行されたこと、および前記短点灯が所定の割合以上で実行されたことを含み、
前記制御部は、前記所定の条件が満たされない場合、第１駆動パターンを実行し、
前記制御部は、前記短点灯が所定回数連続して実行された場合、または前記短点灯が所定の割合以上で実行された場合、前記第１駆動パターンよりも前記第１電極および前記第２電極に加える熱負荷が大きい駆動パターンを第２所定時間実行する、請求項１から１３のいずれか一項に記載の放電灯駆動装置。
【請求項１５】
光を射出する放電灯と、
請求項１から１４のいずれか一項に記載の放電灯駆動装置と、
を備えることを特徴とする光源装置。
【請求項１６】
請求項１５に記載の光源装置と、
前記光源装置から射出される光を画像信号に応じて変調する光変調装置と、
前記光変調装置により変調された光を投射する投射光学系と、
を備えることを特徴とするプロジェクター。
【請求項１７】
第１電極および第２電極を有する放電灯に駆動電流を供給して、前記放電灯を駆動する放電灯駆動方法であって、
機械学習に基づいて、前記駆動電流の複数の駆動パターンのうちいずれかの駆動パターンを選択し、選択された前記駆動パターンを実行し、
所定の条件が満たされた場合、前記機械学習に基づく前記駆動パターンを選択および実行せずに、前記複数の駆動パターンのうち所定の駆動パターンを実行することを特徴とする放電灯駆動方法。
【手続補正２】
【補正対象書類名】明細書
【補正対象項目名】０１４７
【補正方法】変更
【補正の内容】
【０１４７】
第１極性期間Ｃ３１の長さは、第１極性期間Ｃ５１の長さよりも大きい。第１極性期間Ｃ４１の長さは、第１極性期間Ｃ３１の長さよりも大きい。第２極性期間Ｃ３２の長さと第２極性期間Ｃ４２の長さと第２極性期間Ｃ５２の長さとは、互いに同じである。第１極性期間（第１直流期間）Ｃ３１，Ｃ４１，Ｃ５１の長さは、例えば、５．０ｍｓ（ミリ秒）以上、２０ｍｓ（ミリ秒）以下である。第２極性期間（第２直流期間）Ｃ３２，Ｃ４２，Ｃ５２の長さは、０．５ｍｓ（ミリ秒）よりも小さい。
【手続補正３】
【補正対象書類名】明細書
【補正対象項目名】０２０３
【補正方法】変更
【補正の内容】
【０２０３】
なお、複数の駆動パラメーターのうち少なくとも１つの駆動パラメーターの値が互いに異なるとは、例えば２つの機械学習駆動パターンＤＷ１の間で、各機械学習駆動パターンＤＷ１を構成する駆動が異なる場合を含む。より具体的には、例えば、第３駆動パターンが交流駆動で構成され、第４駆動パターンが直流駆動および交流駆動で構成され、かつ、第３駆動パターンにおける交流駆動に関する各駆動パラメーターと第４駆動パターンにおける交流駆動に関する各パラメーターとが同じである場合も、第３駆動パターンと第４駆動パターンとは、少なくとも１つの駆動パラメーターの値が互いに異なる機械学習駆動パターンＤＷ１とする。この場合、第３駆動パターンには直流駆動が含まれないため、第３駆動パターンにおける直流駆動に関する駆動パラメーターをゼロとみなす。これにより、この場合において第３駆動パターンと第４駆動パターンとは、直流駆動に関する駆動パラメーターが互いに異なる。